(57)【要約】【課題】圧力スプリングの代わりに突出部を備えてカバーを保持して、持続的な開閉動作及び長時間経過による補助接点ユニットの取付力弱化を最小化できる電磁接触器の補助接点ユニットを提供する。【解決手段】本発明は、電磁接触器に取付けられる補助接点ユニットにおいて、補助接点ユニットの下部フレームの内部には下部リングと連結されているカバーが上部の構造物を保持するように設けられ、前記カバーの下面は突出部により保持されることを特徴とする電磁接触器の補助接点ユニットを提供する。【選択図】図１４
2007220661.tif 000002
【特許請求の範囲】
【請求項１】
電磁接触器に取付けられる補助接点ユニットであって、
前記補助接点ユニットの下部フレームの内部に設けられ、上部の構造物を保持する下部リングと連結されているカバーと、
前記カバーの下面を保持するように前記カバーの下面又は前記下部フレームの底面のうち選ばれたいずれか一つの位置に形成される突出部と、を備えることを特徴とする電磁接触器の補助接点ユニット。
【請求項２】
前記突出部は、前記カバーの下部の中央部を保持するように備えられる請求項１に記載の電磁接触器の補助接点ユニット。
【請求項３】
前記突出部は、前記カバーの下面に力が均等に作用できるように一定間隔離隔して２つ以上備えられる請求項１に記載の電磁接触器の補助接点ユニット。
【請求項４】
前記突出部は、弾性材質からなる請求項１に記載の電磁接触器の補助接点ユニット。
【発明の詳細な説明】
【技術分野】
【０００１】
本発明は電磁接触器の補助接点ユニットに関し、さらに詳しくは電磁接触器に堅固に取付けられる補助接点ユニットに関する。
【背景技術】
【０００２】
電磁接触器は主回路の流れを開閉する用途として使用されるが、補助接点ユニットはこのような電磁接触器と共に使用され、弱電流や制御信号のような微小電流を開閉する役割を果たす。
【０００３】
補助接点ユニットは一般的に電磁接触器の側面又は上部に取り付けられ、電磁接触器に含まれている製品もある。補助接点ユニットの可動部は電磁接触器に取り付けられると同時に、電磁接触器の可動部と連結され、電磁接触器の開閉動作によって補助接点ユニットの接点も開閉しつつ補助接点に流れる電流をオン/オフする。 
【０００４】
補助接点ユニットを電磁接触器に取り付ける方法としては、スナップフィット(snap-fit)を活用する方法や、しっかり取り付けるためにスクリュー又はボルト／ナットを用いて取り付ける方法があるが、いずれの方法を使っても電磁接触器の開閉による振動及び衝撃に耐えられるよう堅固に補助接点ユニットを電磁接触器に取り付けるべきである。
【０００５】
以下、添付した図面に基づき従来の補助接点ユニットの構成及び補助接点ユニットを電磁接触器に取り付ける方法について説明する。
【０００６】
図１は従来の補助接点ユニットが取り付けられた電磁接触器に対する斜視図であり、図２は従来の補助接点ユニットの図であり、図３は一般の電磁接触器に対する斜視図である。
【０００７】
図１に示されたように、電磁接触器１０の一側に補助接点ユニット２０が取付けられるが、補助接点ユニットは電磁接触器の上部フレームの一部と下部フレームにわたって取りつけられる。
【０００８】
ここで、補助接点ユニット２０は図２に示されたように電磁接触器１０に取付けられる取付面のフレームに多数個のリングや柱が備えられる。
【０００９】
すなわち、補助接点ユニット２０のフレーム上側には内部に挿入された補助接点ユニットのクロースバー柱２１が突出して上下動するようにクロースバー柱挿入溝２２が横設されており、クロースバー柱挿入溝２２の左右には上部リング２３が備えられている。そして、補助接点ユニット２０のフレーム下側には左右に固定柱２５が備えられ、その下部には下部リング２７が左右に備えられている。
【００１０】
一方、電磁接触器１０は、図３に示したように補助接点ユニット２０に備えられた多数個のリング及び固定柱などが挿入される位置に対応する溝が形成されているが、クロースバー柱挿入溝１１及び上部リング２３が挿入される上部リング挿入溝１３は電磁接触器１０の上部フレームに形成されており、補助接点ユニット２０の固定柱２５が挿入される固定柱挿入溝１５及び下部リング２７が挿入される下部リング挿入溝１７は電磁接触器１０の下部フレームに形成されている。
【００１１】
従って、補助接点ユニット２０の内部に挿入されたクロースバー柱２１を電磁接触器のクロースバー柱挿入溝１１に、補助接点の上部リング２３、固定柱２５及び下部リング２７を電磁接触器の上部リング挿入溝１３、固定柱挿入溝１５及び下部リング挿入溝１７にそれぞれ挿入することにより、補助接点ユニット２０を電磁接触器１０に取り付けることができる。
【００１２】
この際、補助接点ユニット２０は下側内部に備えられた圧力スプリングの弾性力によってさらに容易に補助接点ユニットを電磁接触器に取り付けることができるが、図４及び図５に基づき詳述する。
【００１３】
図４は従来の補助接点ユニットの下部横断面図であり、図５は従来の補助接点ユニットに採用されたスプリングカバー及び下部リングを示した図であり、図６は図４においてスプリングカバーが取り外された図である。以下、図１〜図３と同様な構成要素には同一な符号を付する。
【００１４】
これら図面に示したように、下部リング２７はカバー２８と連結されており、カバー２８の下方には圧力スプリング２９が設けられている。補助接点ユニットの下部リング２７を電磁接触器の下部リング挿入溝１７に挿入して補助接点ユニット２０を電磁接触器１０に取り付ける時、カバー２８及び圧力スプリング２９の弾性力を用いてさらに容易に取り付ける。
【００１５】
しかし、このように取付けられる従来の補助接点ユニットは次のような問題点がある。
【００１６】
すなわち、圧力スプリングは補助接点ユニットを電磁接触器にさらに容易に取り付けられるようにすると同時に、電磁接触器の持続的なオン/オフ動作による衝撃や振動から補助接点を保持してくれる役割を果たすが、持続的な開閉動作と長時間経過すれば圧力スプリングの弾性力が低下して十分に保持し難いため、補助接点ユニットの取付力が低下する。
【発明の開示】
【発明が解決しようとする課題】
【００１７】
従って、本発明は前述した従来の技術の問題点を解決するためになされたもので、その目的は圧力スプリングの代わりに弾性材質の突出部を備えてカバーを保持させることにより、電磁接触器の持続的な開閉動作及び長時間の経過による補助接点ユニットの取付力の低下を最小化することができる電磁接触器の補助接点ユニットを提供するところにある。
【課題を解決するための手段】
【００１８】
前述したような目的を達成するため、本発明は電磁接触器に取付けられる補助接点ユニットにおいて、補助接点ユニットの下部フレームの内部に設けられ、上部の構造物を保持する下部リングと連結されているカバー(cover)と、カバーの下面を保持するようにカバーの下部又は下部フレームの底面のうち選ばれたいずれか一つの位置に形成された突出部とを備えることを特徴とする。
【００１９】
ここで、突出部はカバーの下面の中央部を保持するように備えられることが望ましい。
【００２０】
または、突出部は前記カバーの下面に力が均等に作用できるように一定間隔離隔して二つ以上備えられることが望ましい。
【００２１】
この際、突出部は弾性材質よりなることが望ましい。
【発明の効果】
【００２２】
本発明によれば、補助接点ユニットの圧力スプリングの代わりにモールド型の突出部を備えてカバーを保持させることにより、持続的な開閉動作及び長時間が経過してもカバーの弾性力が低下する恐れがなく、カバーを保持する保持力がさらに向上して補助接点ユニットの取付力が低下することを最小化することができる。
【発明を実施するための最良の形態】
【００２３】
以下、添付した図面に基づき本発明の望ましい一実施形態を詳述する。
【００２４】
図７は本発明に係る補助接点ユニットが取付けられる電磁接触器の斜視図であり、図８は図７のＡ部分である上部リング挿入溝の拡大図であり、図９は本発明に係る補助接点ユニットが取付けられる電磁接触器の下部フレームの部分切断図であり、図１０は図９のＢ部分である下部リング挿入溝の拡大図である。以下、図１〜図４と同一な構成要素には同一な符号を付する。
【００２５】
図７に示したように、電磁接触器１０には、補助接点ユニット２０に備えられた上部リング２３が挿入される上部リング挿入溝１３及び補助接点ユニットのクロースバー柱２１が挿入されるクロースバー柱挿入溝１１が上部フレームにそれぞれ形成されており、下部フレームには補助接点ユニットの下部リング２７が挿入される下部リング挿入溝１７及び固定柱２５が挿入される固定柱挿入溝１５がそれぞれ形成されている。
【００２６】
図８を参照すれば、上部リング挿入溝１３には内側に上部リングが挿入後よく抜け出ないように上部リングの形状に対応して傾斜面１３ａが形成されている。
【００２７】
一方、図９及び図１０を参照すれば、下部リング２７が挿入される下部リング挿入溝１７には鈎状の下部リングが挿入されてから抜け出ないように係止溝１７ａが形成されている。
【００２８】
従って、補助接点ユニット２０を電磁接触器１０に取り付けると上部リング２３が上部リング挿入溝１３に挿入され上部リング挿入溝の傾斜面１３ａに係止され、下部リング２７が係止溝１７ａに係止されることにより補助接点ユニット２０が電磁接触器１０に堅固に取付けられる。
【００２９】
一方、電磁接触器１０の上部フレームの内部には図１１に示された電磁接触器のクロースバー１９が挿設される。
【００３０】
図１１は本発明に係る補助接点ユニットが取付けられる電磁接触器の内部に設けられるクロースバーに対する斜視図である。
【００３１】
図１１に示したように、クロースバー１９の側面には補助接点ユニット２０のクロースバー柱２１が挿入されるクロースバー柱挿入溝１９ａが形成されているが、クロースバー柱挿入溝１９ａはクロースバー１９を電磁接触器１０の内部に設ける際電磁接触器の上部フレームに形成されたクロースバー柱挿入溝１１と対応するように位置する。
【００３２】
しかし、補助接点ユニット２０が電磁接触器１０に取付けられた状態で電磁接触器１０の持続的なオン/オフ動作などで取付力が弱化する場合があるため、本発明では図１２及び図１３に示したように、補助接点ユニット２０の下部に設けられた圧力スプリングのところに突出部１００を備えてカバー(図８の２８)を保持するようにしている。ここで、図１２は本発明に係る補助接点ユニットの分解斜視図であり、図１３は図１２のＣ部分の一部拡大図である。
【００３３】
すなわち、圧力スプリングは電磁接触器の頻繁な開閉動作及び長時間の経過によって弾性力が低下する場合があるため、本発明は圧力スプリングの代わりに弾性材質の突出部１００に置き換えることによって、弾性力の低下による補助接点ユニット２０の取付力の低下を最小化している。
【００３４】
従って、本発明では鈎状の下部リング２７の弾性力を主に用いて補助接点ユニット２０を電磁接触器１０に取り付け、カバー２８の弾性力を補助的に利用する。
【００３５】
ここで、突出部１００はカバー２８が下部に垂れず所定高さを維持できるように保持部の役割を果たすことから、図１３のように２つ以上形成する際、一層安定的にカバー２８を保持することができる。
【００３６】
しかし、突出部の個数又はその位置により本発明の権利範囲が限定されることではないため、図１４に示したように、カバー２８の下部に他の形態の突出部１１０が具備されても構わない。すなわち、突出部はカバー２８の下部に一体にモールドされることも可能であり、補助接点ユニットの下部フレームの内部、さらに詳しくは下部フレームの底面に一体にモールド可能であり、必要な個数が形成されうる。ここで、図１４は本発明に係る補助接点ユニットの下部横断面図である。
【００３７】
このように本発明は従来の技術とは異なり、補助接点ユニットの構造を変形することによって持続的な開閉動作及び長時間が経過してもカバーの弾性力が低下する恐れがなく、カバーを保持する保持力が一層向上して補助接点ユニットの取付力が低下することを最小化することができる。
【００３８】
以上では図面及び明細書に最適の実施例を開示した。ここでは説明のため特定な用語が使用されてきたが、これはただ本発明を説明するために使用されたもので、意味を限定したり請求の範囲に記載された本発明の範囲を制限するために使用されたわけではない。従って、本技術分野の通常の知識を有する者ならばこれより多様な変形及び均等な他の実施例が可能であることが理解できよう。従って、本発明の真の技術的保護範囲は請求の範囲の技術的思想によって定まるべきである。
【図面の簡単な説明】
【００３９】
【図１】従来の補助接点ユニットが取付けられた電磁接触器に対する斜視図である。
【図２】従来の補助接点ユニットを示した図である。
【図３】一般の電磁接触器の斜視図である。
【図４】従来の補助接点ユニットの下部横断面図である。
【図５】従来の補助接点ユニットに採用されたスプリングカバー及び下部リングを示した図である。
【図６】図４においてスプリングカバーが取り外された状態を示す図面である。
【図７】本発明による補助接点ユニットが取付けられる電磁接触器の斜視図である。
【図８】図７のＡ部分である上部リング挿入溝の拡大図である。
【図９】本発明による補助接点ユニットが取付けられる電磁接触器の下部フレームの部分切断図である。
【図１０】図９のＢ部分である下部リング挿入溝の拡大図である。
【図１１】本発明による補助接点ユニットが取付けられる電磁接触器の内部に設けられるクロースバーに対する斜視図である。
【図１２】本発明による補助接点ユニットの分解斜視図である。
【図１３】図１２のＡ部分の一部拡大図である。
【図１４】本発明による補助接点ユニットの下部横断面図である。
【符号の説明】
【００４０】
１０    電磁接触器
１１    クロースバー柱挿入溝
１３    上部リング挿入溝
１５    固定柱挿入溝
１７    下部リング挿入溝
２０    補助接点ユニット
２７    上部リング
２８    カバー
１００、１１０    突出部
【図１】
2007220661.tif 000003
【図２】
2007220661.tif 000004
【図３】
2007220661.tif 000005
【図４】
2007220661.tif 000006
【図５】
2007220661.tif 000007
【図６】
2007220661.tif 000008
【図７】
2007220661.tif 000009
【図８】
2007220661.tif 000010
【図９】
2007220661.tif 000011
【図１０】
2007220661.tif 000012
【図１１】
2007220661.tif 000013
【図１２】
2007220661.tif 000014
【図１３】
2007220661.tif 000015
【図１４】
2007220661.tif 000016